(57)【要約】【課題】記録済の記録媒体のデータをデータの種類等によって分類して他の記録媒体にまとめる。【解決手段】複数の記録済の記録媒体Ｄ１を保管可能な第１記録媒体保管部２１と、複数の未記録の記録媒体Ｄ２を保管可能な第２記録媒体保管部２２と、前記記録済の記録媒体Ｄ１に記録されたデータを読み出すとともに、前記未記録の記録媒体Ｄ２に前記データを書き込むデータ読み書き部４１，４２と、前記記録媒体Ｄを各部に搬送可能な記録媒体搬送部３０と、少なくとも前記データの種別情報を表示可能な表示部５５と、少なくとも作業指示を入力可能な入力部５６と、読み出された前記データを保管するとともに前記データの種別に基づいて前記データを分類可能であるとともに、各部を統括的に制御する制御部５０と、を備えることを特徴とする記録媒体処理装置１０。【選択図】図１
2015072725.tif 000002
【特許請求の範囲】
【請求項１】
複数の記録済の記録媒体を保管可能な第１記録媒体保管部と、
複数の未記録の記録媒体を保管可能な第２記録媒体保管部と、
前記記録済の記録媒体に記録されたデータを読み出すとともに、前記未記録の記録媒体に前記データを書き込むデータ読み書き部と、
前記記録媒体を各部に搬送可能な記録媒体搬送部と、
少なくとも前記データの種別情報を表示可能な表示部と、
少なくとも作業指示を入力可能な入力部と、
読み出された前記データを保管するとともに前記データの種別に基づいて前記データを分類し、且つ各部を統括的に制御する制御部と、を備えることを特徴とする記録媒体処理装置。
【請求項２】
前記表示部は、デフォルトとして前記データの種別を表示することを特徴とする請求項１に記載の記録媒体処理装置。
【請求項３】
前記制御部は、外部にホスト装置が接続されているか否かを検知する接続検知部を有し、
前記表示部は、前記ホスト装置の接続情報を表示可能であり、
前記入力部は、前記ホスト装置を用いるか否かを選択可能であることを特徴とする請求項１に記載の記録媒体処理装置。
【請求項４】
前記表示部は、前記入力部を兼ねたタッチパネル方式であることを特徴とする請求項１乃至３のいずれか一項に記載の記録媒体処理装置。
【請求項５】
複数の記録済の記録媒体を保管可能な第１記録媒体保管部と、複数の未記録の記録媒体を保管可能な第２記録媒体保管部と、前記記録済の記録媒体に記録されたデータを読み出すとともに、前記未記録の記録媒体に前記データを書き込むデータ読み書き部と、前記記録媒体を各部に搬送可能な記録媒体搬送部と、を備える記録媒体処理装置の制御方法であって、
前記記録媒体処理装置は、作業指示を入力可能な入力部を兼ねる、前記データの種別情報を表示可能な表示部を有し、
前記データ読み書き部で前記記録済の記録媒体の前記データを読み取るデータ読み取り工程と、
前記データ読み取り工程で読み取られた前記データを、前記データの種別に基づいて分類するデータ処理工程と、
前記表示部で表示される前記データの種別情報に基づいて分類済の前記データを前記未記録の記録媒体に書き込むデータ書き込み工程と、を備えることを特徴とする記録媒体処理装置の制御方法。
【発明の詳細な説明】
【技術分野】
【０００１】
本発明は、ＣＤ、ＤＶＤ、ＢＤ等の記録媒体に対してデータの読み書きを行う記録媒体処理装置、および、記録媒体処理装置の制御方法に関する。
【背景技術】
【０００２】
ＣＤ、ＤＶＤ、ＢＤ等の記録媒体を保管するための記録媒体保管部と、記録媒体へのデータの書き込み、および記録媒体からのデータの読み出しを行うドライブと、データが書き込まれた記録媒体のレーベル面に、書き込みデータの内容や書込み年月日などの情報を印刷する印刷装置と、記録媒体を各部に搬送する記録媒体搬送機構と、これらの駆動を制御する制御部とを備えた記録媒体処理装置が知られている（例えば、特許文献１参照）。
【先行技術文献】
【特許文献】
【０００３】
【特許文献１】特開２００６−３３１５３４号公報
【発明の概要】
【発明が解決しようとする課題】
【０００４】
記録媒体処理装置を用いた作業では、既にデータが書き込まれた記録媒体のデータをデータの種類等によって分類して他の記録媒体にまとめたいとの要望がある。従来は、複数の記録済の記録媒体に記録されたデータを読み出し、コンピューター等に搭載されたファイラーを用いデータの分類を行い、コンピューターに接続されたドライブを用いて当該データを未記録の記録媒体に書き込む必要があり、作業が煩雑であった。
【課題を解決するための手段】
【０００５】
本発明は、上述の課題の少なくとも一部を解決するためになされたものであり、以下の形態または適用例として実現することが可能である。
【０００６】
（適用例１）複数の記録済の記録媒体を保管可能な第１記録媒体保管部と、複数の未記録の記録媒体を保管可能な第２記録媒体保管部と、前記記録済の記録媒体に記録されたデータを読み出すとともに、前記未記録の記録媒体に前記データを書き込むデータ読み書き部と、前記記録媒体を各部に搬送可能な記録媒体搬送部と、少なくとも前記データの種別情報を表示可能な表示部と、少なくとも作業指示を入力可能な入力部と、読み出された前記データを保管するとともに前記データの種別に基づいて前記データを分類し、且つ各部を統括的に制御する制御部と、を備えることを特徴とする記録媒体処理装置。
【０００７】
この構成によれば、記録媒体処理装置は、第１記録媒体保管部に保管される記録済の記録媒体をデータ読み書き部に搬送して記録済みのデータを読み出すことができる。制御部は、読み出したデータをデータの種別に基づいて保管し分類するとともに、表示部にデータの種別等を表示することができる。ユーザーは、表示部に表示された内容に基づいて、以降の作業に対する指示を入力することができる。その後、記録媒体処理装置は、指示された内容に基づいて未記録の記録媒体にデータを整理して記録することができる。この結果、簡単な作業で既にデータが書き込まれた記録媒体のデータをデータの種類等によって分類して他の記録媒体にまとめることができる。
【０００８】
（適用例２）前記表示部は、デフォルトとして前記データの種別を表示することを特徴とする上記の記録媒体処理装置。
【０００９】
この構成によれば、表示部に表示されるデータの種別の中からまとめたいデータの種別を選択し、入力部で指示することができる。記録媒体処理装置は、入力部で指示されたデータの種別に基づいて読み出されたデータを分類し未記録の記録媒体にデータを整理して記録することができる。このため、簡単な作業で既にデータが書き込まれた記録媒体のデータをデータの種類等によって分類して他の記録媒体にまとめることができる。
【００１０】
（適用例３）前記制御部は、外部にホスト装置が接続されているか否かを検知する接続検知部を有し、前記表示部は、前記ホスト装置の接続情報を表示可能であり、前記入力部は、前記ホスト装置を用いるか否かを選択可能であることを特徴とする上記の記録媒体処理装置。
【００１１】
この構成によれば、記録媒体処理装置は、記録媒体処理装置単体でもホスト装置を用いてでも、データが書き込まれた記録媒体のデータをデータの種類等によって分類して他の記録媒体にまとめることができる。そのため、データ量が多い場合は外部のホスト装置を用いることもできる。
【００１２】
（適用例４）前記表示部は、前記入力部を兼ねたタッチパネル方式であることを特徴とする上記の記録媒体処理装置。
【００１３】
この構成によれば、表示部と入力部とを１つのタッチパネルで構成することができ、シンプルな構成とすることができる。
【００１４】
（適用例５）複数の記録済の記録媒体を保管可能な第１記録媒体保管部と、複数の未記録の記録媒体を保管可能な第２記録媒体保管部と、前記記録済の記録媒体に記録されたデータを読み出すとともに、前記未記録の記録媒体に前記データを書き込むデータ読み書き部と、前記記録媒体を各部に搬送可能な記録媒体搬送部と、を備える記録媒体処理装置の制御方法であって、前記記録媒体処理装置は、作業指示を入力可能な入力部を兼ねる、前記データの種別情報を表示可能な表示部を有し、前記データ読み書き部で前記記録済の記録媒体の前記データを読み取るデータ読み取り工程と、前記データ読み取り工程で読み取られた前記データを、前記データの種別に基づいて分類するデータ処理工程と、前記表示部で表示される前記データの種別情報に基づいて分類済の前記データを前記未記録の記録媒体に書き込むデータ書き込み工程と、を備えることを特徴とする記録媒体処理装置の制御方法。
【００１５】
この方法によれば、記録媒体処理装置は、第１記録媒体保管部に保管される記録済の記録媒体のデータを読み出すことができる。そして、読み出したデータをデータの種別に基づいて分類して、表示部にデータの種別等を表示することができる。ユーザーは、表示部に表示された内容に基づいて、以降の作業に対する指示を入力することができる。その後、記録媒体処理装置は、指示された内容に基づいて未記録の記録媒体にデータを整理して記録することができる。この結果、簡単な作業で既にデータが書き込まれた記録媒体のデータをデータの種類等によって分類して他の記録媒体にまとめることができる。
【図面の簡単な説明】
【００１６】
【図１】本実施形態に係る記録媒体処理装置の概略構成を示す図。
【図２】記録媒体処理装置の内部構造を示す斜視図。
【図３】記録媒体処理装置の基本動作を説明するフローチャート。
【図４】記録媒体処理装置の初期動作を説明するフローチャート。
【発明を実施するための形態】
【００１７】
以下、本実施形態について図面を参照して説明する。なお、以下の説明で参照する図面では、説明および図示の便宜上、部材ないし部分の縦横の縮尺を実際のものとは異なるように表す場合がある。
【００１８】
（記録媒体処理装置の全体構成について）
記録媒体処理装置の全体構成について、図１および図２を参照して説明する。図１は、本実施形態に係る記録媒体処理装置の概略構成を示す図であり、図２は、記録媒体処理装置の内部構造を示す斜視図である。
【００１９】
記録媒体処理装置１０は、円板状の記録媒体Ｄに対してデータの読み書きを行うとともに、記録媒体Ｄのレーベル面に印刷を行うための装置である。ここで、記録媒体Ｄとは、レーザー光等を利用したデータの書込及び追記、読み取り等が可能な光学的記録媒体であり、例えば、ＣＤ−Ｒ、ＣＤ−ＲＷ、ＤＶＤ±Ｒ、ＤＶＤ±ＲＷ、ＤＶＤ−ＲＡＭ、あるいは、次世代ＤＶＤと呼ばれる光ディスク等がある。この記録媒体Ｄの一方の盤面には、レーザー光によりデータを記録する記録面が形成され、他方の盤面には、文字や図形、絵柄等の画像を印刷可能なレーベル面が形成されている。
【００２０】
図１および図２に示すように、記録媒体処理装置１０は、記録媒体Ｄを保管する第１記録媒体保管部２１（以降、第１保管部２１という）、第２記録媒体保管部２２（以降、第２保管部２２という）および第３記録媒体保管部２４（以降、第３保管部２４という）と、２つのデータ読み書き部４１，４２と、印刷部４８と、記録媒体搬送部３０と、制御部５０と、入力部５６を兼ねた表示部５５と、を備える。
【００２１】
なお、図２では、記録媒体処理装置１０の外装である略直方体形状のケースを省略して、内部機構を示しているが、実際の使用状態においては当該ケースが取り付けられる。また、このケースの前面側には、記録媒体Ｄを出し入れする際などに使用する図示しない開閉扉が取り付けられており、当該ケースの上側には、入力部５６を兼ねた表示部５５が設けられている。入力部５６を兼ねた表示部５５としては、タッチパネル方式のディスプレイ等が好適に用いられる。
【００２２】
図１および図２に示すように、第１保管部２１および第２保管部２２は、記録媒体処理装置１０の内部のコーナー部に、上下方向に重ねられるように配置されている。第１保管部２１および第２保管部２２は、側面の一部と上面が開放された円筒形状を呈しており、それぞれ内部に複数枚の記録媒体Ｄが保管可能である。また、第１保管部２１および第２保管部２２は、記録媒体処理装置１０のフレーム３５に対して着脱可能となっている。第３保管部２４は、同じく側面の一部と上面が開放された円筒形状を呈しており、記録媒体処理装置１０の前方にスライド可能に取り付けられた引出トレイ２５に形成されている。第３保管部２４も、内部に複数枚の記録媒体Ｄが保管可能である。
【００２３】
本実施形態のように、既にデータが書き込まれた記録媒体Ｄ１のデータをデータの種類等によって分類して他の記録媒体Ｄ２にまとめる場合は、第１保管部２１は、データが記録された記録媒体Ｄ１を収納する保管部として使用される。第２保管部２２は、整理分類されたデータを書き込む未使用の記録媒体Ｄ２を収納する保管部として使用される。第３保管部２４は、記録されたデータが読み込まれた記録媒体Ｄ１もしくは新たにデータが書き込まれた記録媒体Ｄ２を収容可能である。第３保管部２４に収容される記録媒体Ｄ１，Ｄ２は、引出トレイ２５を操作することによって外部に排出することができる。
【００２４】
本実施形態では、例えば２つのデータ読み書き部４１，４２が設けられている。２つのデータ読み書き部４１，４２は、記録媒体処理装置１０の内部のほぼ中央に、上下方向に重ねられるように配置されている。２つのデータ読み書き部４１，４２の各々は、スライド式に開閉可能に設けられたトレイ４３，４４を有する。また、データ読み書き部４１，４２の各々は、トレイ４３，４４に載置された記録媒体Ｄに書き込まれたデータを読み出す読出処理を行う図示しないデータ読出ヘッドと、所定のデータを書き込む図示しないデータ書込みヘッドとを有する。
【００２５】
なお、データ読出ヘッドおよびデータ書込みヘッドは１つのヘッドであってもよい。また、データ読み書き部４１，４２は、１つであってもよいし、データ読み込みもしくは書込みの処理速度を向上させるために３つ以上設けてもよい。本実施形態では２つのデータ読み書き部４１，４２を設けるものとして説明する。データ読み書き部４１，４２をいくつ設けるかは任意である。
【００２６】
本実施形態では、印刷部４８は、上記のデータ読み書き部４１，４２の下方向に重ねられるように配置されている。印刷部４８は、処理される記録媒体Ｄのレーベル面に印刷可能なインクジェット式記録装置を有している。この印刷部４８は、所定の受け渡し位置に搬送された記録媒体Ｄのレーベル面に対して予め設定された画像や文字等の識別情報を印刷する。なお、印刷部４８も、データ読み書き部４１，４２と同様に処理速度を向上させるために複数個設けてもよい。
【００２７】
記録媒体搬送部３０は、上述の第１保管部２１および第２保管部２２とデータ読み書き部４１，４２との間の空間に設けられた略垂直なガイド軸３１と、このガイド軸３１に沿って昇降および旋回可能な搬送アーム３２とを有する。また、搬送アーム３２の先端部中央には、記録媒体Ｄを把持する図示しない把持部が設けられている。把持部は、記録媒体Ｄの中央に設けられている貫通孔に、鉤状のフックを挿入して持ち上げて搬送する構造、または搬送アーム３２を記録媒体Ｄの下に挿入して持ち上げる構造等、公知の種々の機構を採用可能である。
【００２８】
搬送アーム３２は、制御部５０に制御され、図１に示す矢印ａ〜ｈ方向への旋回動作と、矢印ｉ，ｊ方向への昇降動作とが可能である。そのため、搬送アーム３２は、これらの動作の組み合わせによって、図中に〔１〕から〔６〕で示すポイントに移動することができる。これにより、搬送アーム３２は、第１〜第３保管部２１，２２，２４と、データ読み書き部４１に装備されたトレイ４３の記録媒体受け渡し位置と、データ読み書き部４２に装備されたトレイ４４の記録媒体受け渡し位置と、印刷部４８の記録媒体受け渡し位置との間での記録媒体Ｄの搬送を行うことができる。
【００２９】
ここで、図１に示す〔１〕から〔６〕の数字を付すポイントについて補足説明する。〔１〕は搬送アーム３２のホームポジション（ＨＰ）の位置（待機位置）であり、〔２〕は第１保管部２１の位置である。〔３〕はＨＰと第１保管部２１の位置との間の任意の位置であり、〔４〕は印刷部４８の記録媒体受け渡し位置である。〔５〕は第２保管部２２の位置であり、〔６〕は印刷部４８の記録媒体受け渡し位置と第３保管部２４の位置との間の任意の位置である。
【００３０】
制御部５０は、接続検知部５１と、データ処理部５２と、データ保管部５３と、ドライバー５４とを備える。データ処理部５２は、例えばＣＰＵ等で構成され、データ読み書き部４１，４２で読み取られた記録済の記録媒体Ｄ１のデータを処理する。具体的には、記録媒体Ｄ１に記録されているファイル管理情報を読み出すとともにその情報を解析する。そして、解析結果、例えばデータの属性情報に基づいてデータの分類等を実行する。なお、詳細は後述する。
【００３１】
データ保管部５３は、例えばメモリー等で構成され、データ読み書き部４１，４２で読み取られた記録済の記録媒体Ｄ１のデータおよび上記の分類されたデータ等を保管する。ドライバー５４は、データ読み書き部４１，４２のデータ読出ヘッドおよびデータ書込みヘッド、印刷部４８のインクジェット式記録装置、記録媒体搬送部３０の図示しないモーター、表示部５５等の動作を制御する。
【００３２】
上述の構成を有する記録媒体処理装置１０は、既にデータが書き込まれた記録媒体Ｄ１のデータをデータ読み書き部４１，４２で読み取り、制御部５０のデータ処理部５２で分類整理し、未使用の記録媒体Ｄ２に整理した状態で書き込むことができる。なお、データが読み込まれた記録媒体Ｄ１もしくはデータが書き込まれた記録媒体Ｄ２は、第３保管部２４に収容することも可能であるし、引出トレイ２５を操作することによって外部に排出することができる。
【００３３】
なお、本実施形態に係る記録媒体処理装置１０は、単体、所謂スタンドアローンで動作することもできるし、通信インターフェイス５８を介して、ＰＣ等からなるホスト装置１５に接続され動作することもできる。制御部５０の接続検知部５１は、記録媒体処理装置１０が通信インターフェイス５８を介して、ＰＣ等からなるホスト装置１５に接続されているか否かを検知する機能を有する。
【００３４】
（記録媒体処理装置の基本動作について）
ここで、記録媒体処理装置の基本動作について図３を参照して説明する。基本動作とは、既に記録済の記録媒体Ｄ１のデータを読み取り分類整理し、未使用の記録媒体Ｄ２に書き込む動作のことである。図３は、記録媒体処理装置の基本動作を説明するフローチャートである。
【００３５】
図３に示すステップＳ１では、既にデータが記録された複数の記録媒体Ｄ１を第１保管部２１に収容する。そして、整理分類されたデータを書き込む複数の未使用の記録媒体Ｄ２を第２保管部２２に収納する（記録媒体セット工程Ｓ１）。なお、このとき記録済の記録媒体Ｄ１の数が多い場合は、第２保管部２２に記録済の記録媒体Ｄ１を収容してもよい。この場合は、後述するデータの読み取りが終わったときに、未使用の記録媒体Ｄ２を第２保管部２２もしくは第１保管部２１に収納してもよい。
【００３６】
ステップＳ２では、第１保管部２１に収容された記録済の記録媒体Ｄ１を、記録媒体搬送部３０を用いてデータ読み書き部４１，４２に搬送する（第１記録媒体搬送工程Ｓ２）。ステップＳ３では、データ読み書き部４１，４２のデータ読出ヘッドを用い、搬送された記録済の記録媒体Ｄ１のデータを読み出す。読み出されたデータは、制御部５０に送られデータ保管部５３に保管される（データ読み取り保管工程Ｓ３）。ステップＳ４では、データが読み取られた記録媒体Ｄ１は、記録媒体搬送部３０によって第３保管部２４に搬送され第３保管部２４に保管される（第２記録媒体搬送工程Ｓ４）。
【００３７】
ステップＳ５では、次にデータを読み取る記録媒体Ｄ１があるか否かを判定する。データを読み取る記録媒体Ｄ１がある（ＹＥＳ）場合は、ステップＳ２に戻り同様な作業を繰り返す。データを読み取る記録媒体Ｄ１がない（ＮＯ）場合、すなわちデータ読み取り作業が終了した場合は、ステップＳ６に進む。なお、このとき、引出トレイ２５を作動させて第３保管部２４に保管される記録媒体Ｄ１を取り出すことが好ましい。
【００３８】
ステップＳ６では、データ処理部５２は、データ保管部５３に保管される記録媒体Ｄ１のデータの処理を行う。具体的には、まず、記録媒体Ｄ１に記録されていたファイル管理情報を解析する。ファイル管理情報には、ファイルシステムに関する特定の情報（例えば、タグ識別子）が含まれ記録されているデータのファイルフォーマットやファイル構造等が特定される。
【００３９】
また、データ処理部５２は、データ保管部５３に保管されたデータのプロパティを識別しデータの属性を読み取りデータを分類し整理することができる。データの属性情報とは、例えば、データの表題、カテゴリー、作成日、更新日、画像データ等のデータ種、キーワード、言語等々がある。データ処理部５２は、これら毎に分類し、データ保管部５３に保管することができる（データ処理保管工程Ｓ６）。
【００４０】
ステップＳ７では、第２保管部２２に収容される未使用の記録媒体Ｄ２を、記録媒体搬送部３０を用いてデータ読み書き部４１，４２に搬送する（第３記録媒体搬送工程Ｓ７）。ステップＳ８では、データ読み書き部４１，４２のデータ書き込みヘッドを用い、搬送された記録媒体Ｄ２に分類整理されたデータを書き込む。（データ書き込み工程Ｓ８）。ステップＳ９では、データが書き込まれた記録媒体Ｄ２を、記録媒体搬送部３０によって第３保管部２４に搬送して第３保管部２４に保管する（第４記録媒体搬送工程Ｓ９）。
【００４１】
ステップＳ１０では、次に書き込むデータがあるか否かを判定する。次に書き込むデータがある（ＹＥＳ）場合は、ステップＳ７に戻り同様な作業を繰り返す。次に書き込むデータがない（ＮＯ）場合は、作業を終了する。なお、このとき、引出トレイ２５を作動させて第３保管部２４に保管される記録媒体Ｄ２を取り出して発行する。
【００４２】
（記録媒体処理装置の初期動作について）
ここで、記録媒体処理装置に付随するその他の動作、特に初期動作について図４を参照して説明する。図４は、記録媒体処理装置の初期動作を説明するフローチャートである。
【００４３】
上述のように、本実施形態に係る記録媒体処理装置１０は、単体、所謂スタンドアローンでの作業と、通信インターフェイス５８を介してホスト装置１５に接続されての作業とを選択することもできる。また、デフォルトとして分類整理可能なデータの種別を表示部５５で表示し、ユーザーが入力部５６で指示することでデータをまとめることもできる。
【００４４】
図４に示すように記録媒体処理装置１０は、電源ＯＮ（スタート）の状態になるとステップＳ１１に移行する。ステップＳ１１では、図１に示す制御部５０の接続検知部５１を用いて、記録媒体処理装置１０がホスト装置１５に接続されているか否かを検知する（接続検知工程Ｓ１１）。なお、接続検知部５１による検知方法としては、記録媒体処理装置１０から確認信号を送信してその反応（信号）を確認してもよいし、ホスト装置１５からの電源情報や信号の有無を確認してもよい。公知の種々の方法を採用可能である。
【００４５】
ステップＳ１２では、その結果を表示部５５に表示する（表示工程Ｓ１２）。なお、表示部５５には、記録媒体処理装置１０がホスト装置１５に接続されているか否か、および、記録済の記録媒体Ｄ１の予想されるデータ種別を表示する。予想されるデータ種別は、通常の作業で分類されるデータ種別、例えばデータの表題、カテゴリー、作成日、更新日等であり、デフォルトとして設定されている。
【００４６】
ステップＳ１３では、記録媒体処理装置１０に対して以降の作業の指示を行う（作業指示工程Ｓ１３）。すなわち、単体で作業を実施するのか、通信インターフェイス５８を介してホスト装置１５を用いて作業を実施するのかを選択する。また、まとめるデータの種別を指示することもできる。指示された作業内容は制御部５０に送信される。以降、図３に示すステップＳ１に進み、前述の記録媒体処理装置１０の基本動作を実施する。
【００４７】
なお、ここで、記録媒体処理装置１０単体で作業を実施するのか、通信インターフェイス５８を介してホスト装置１５を用いて作業を実施するのかによって、図３に示すデータ処理保管工程Ｓ６の内容が若干異なる。記録媒体処理装置１０単体での作業を選択した場合は、記録媒体処理装置１０の制御部５０でデータ処理保管作業が行われる。通信インターフェイス５８を介してホスト装置１５を用いての作業を選択した場合は、ホスト装置１５の図示しない制御部でデータ処理保管作業が行われる。
【００４８】
以下、本実施形態の効果を記載する。
（１）記録媒体処理装置１０は、第１保管部２１に保管される記録済の記録媒体Ｄ１をデータ読み書き部４１，４２に搬送して記録済みのデータを読み出すことができる。制御部５０のデータ処理部５２は読み出したデータをデータの種別に基づいて分類する。データ保管部５３は当該データを保管する。そして、記録媒体処理装置１０は、指示された内容に基づいて未記録の記録媒体Ｄ２にデータを整理して記録することができる。この結果、簡単な作業で既にデータが書き込まれた記録媒体Ｄ１のデータをデータの種類等によって分類して他の記録媒体Ｄ２にまとめることができる。
【００４９】
（２）制御部５０は、データの種別に基づいて分類した結果を表示部５５に表示することができる。ユーザーは、表示部５５に表示された内容に基づいて、以降の作業に対する指示を入力部５６より入力することができる。そのため、記録媒体処理装置１０は、入力部５６で指示されたデータの種別に基づいて読み出されたデータを分類し未記録の記録媒体Ｄ２にデータを整理して記録することができる。
【００５０】
（３）記録媒体処理装置１０は、外部にホスト装置１５が接続されているか否かを接続検知部５１で検知することができる。そして、記録媒体処理装置１０単体でもホスト装置１５を用いてでも、データが書き込まれた記録媒体Ｄ１のデータをデータの種類等によって分類して他の記録媒体Ｄ２にまとめることができる。そのため、データ量が多い場合は外部のホスト装置１５を用いる等作業の効率的な選択使用が可能になる。
【００５１】
以上、本発明の実施形態について説明したが、上記実施形態に対しては、本発明の趣旨から逸脱しない範囲で様々な変形を加えることができる。例えば上記実施形態以外の実施形態もしくは変形例は、以下の通りである。
【００５２】
（１）上記実施形態では、初期動作として、表示部５５で分類整理可能なデータの種別を表示する場合を例にとり説明したがこれに限定しない。表示部５５で表示するデータの種別は、図３に示すデータ処理保管工程Ｓ６の段階で、データ処理部５２で解析されたファイル管理情報やデータの属性情報に基づいて表示されてもよい。この場合は、データの種別がより具体的になり、作業の効率化に寄与することができる。
【００５３】
（２）記録媒体処理装置１０は、印刷部４８を用いてデータが読み込まれた記録媒体Ｄ１に対して、レーベル面に例えば読み込み済であることを示す表記を実施してもよい。また、記録媒体処理装置１０は、印刷部４８を用いて分類整理されたデータが書き込まれた記録媒体Ｄ２に対して、レーベル面に分類したデータの種別等の情報を記載してもよい。
【符号の説明】
【００５４】
１０…記録媒体処理装置、１５…ホスト装置、２１…第１記録媒体保管部としての第１保管部、２２…第２記録媒体保管部としての第２保管部、２４…第３記録媒体保管部としての第３保管部、３０…記録媒体搬送部、３２…搬送アーム、４１，４２…データ読み書き部、４８…印刷部、５０…制御部、５１…接続検知部、５２…データ処理部、５３…データ保管部、５４…ドライバー、５５…表示部、５６…入力部、Ｄ，Ｄ１，Ｄ２…記録媒体。
【図１】
2015072725.tif 000003
【図２】
2015072725.tif 000004
【図３】
2015072725.tif 000005
【図４】
2015072725.tif 000006